(57)【要約】      （修正有）【課題】ヘアドライヤー口上に風吹出口を２箇所とし、迅速な乾燥を可とした、集風ノズルを提供する。【解決手段】ヘアドライヤー口上に装着する集風ノズルは、集風ノズル本体１を含み、該集風ノズル本体１上に少なくとも２つの風吹き出し口を設ける。集風ノズル本体１の一端にヘアドライヤーの出風口上に装着する抜き差し構造を設け、他端に２つの間隔を隔てる装着口を設け、各装着口上に何れも風筒２を装着し、該風筒２の自由端に扁平形状の風吹き出し口２１を設ける。前記集風ノズル本体１上の装着口は、何れも円形口であり、円形口の内側に凸部を設ける。風筒２の装着位置が円形口であり、該円形口箇所に環形溝を設け、前記凸部は、環形溝内に位置し、風筒が凸部に沿って回転できる。２つの扁平形状の風吹き出し口２１は、八の字型の設置を呈する。この種の集風ノズルは、迅速乾燥の効果を向上することができ、異なる状況に応じて調整を行うことができる。【選択図】図１
0003175129.tif 000002
【実用新案登録請求の範囲】
【請求項１】
集風ノズル本体を含み、前記集風ノズル本体上に少なくとも２つの風吹き出し口を設け、前記集風ノズル本体の一端にヘアドライヤーの出風口上に装着する抜き差し構造を設け、集風ノズル本体の一端に２つの間隔を隔てる装着口を設け、各装着口上に何れも風筒を装着し、風筒の自由端に扁平形状の風吹き出し口を設け、前記集風ノズル本体上の装着口は、何れも円形口であり、円形口の内側に凸部を設け、風筒の装着位置が円形口であり、円形口箇所に環形溝を設け、前記凸部は、環形溝内に位置し、風筒が凸部に沿って回転することができることを特徴とするヘアドライヤー口上に装着する集風ノズル。
【請求項２】
前記風吹き出し口が扁平形状を呈し、２つの風吹き出し口が八の字型の設置を呈することを特徴とする請求項１に記載のヘアドライヤー口上に装着する集風ノズル。
【考案の詳細な説明】
【技術分野】
【０００１】
本考案は、美髪ツールの技術分野に関し、特に、人々の髪毛やペットの毛等を乾燥させるドライヤーにおけるヘアドライヤー口上に装着する集風ノズルに関する。
【背景技術】
【０００２】
現在、人々は、洗髪完了後、一般に先ずタオルで頭髪を拭いて乾かし、その後、自然乾燥させ、迅速に乾燥させるために、ヘアドライヤーを使用し、頭髪を吹き乾かす場合もあり、ヘアドライヤーは、人々の生活中の重要な美髪ツールとなっている。
髪毛等を乾燥させるヘアドライヤーにより各種温度の熱風を噴出させることができ、その使用範囲は、益々広くなっており、例えば、人々が飼うペットなどであり、体に長く、密集した毛を生やす犬等のペットは、洗い終わった後に、全身の毛が湿り、この時、体上の毛を乾燥させるのに、人々は、ヘアドライヤーを用いるが、現有のヘアドライヤーは、一般にヘアドライヤー上に１つの集風ノズルを装着し、集風ノズル上に１つの扁平形状の風吹き出し口又は円形状の風吹き出し口を設け、この種の集風ノズルは、迅速乾燥の効果が理想的ではなく、使用に便利ではないという問題点があった。
【先行技術文献】
【特許文献】
【０００３】
【特許文献１】特開平５−１９９９１５号公報
【考案の概要】
【考案が解決しようとする課題】
【０００４】
本考案の目的は、前述した従来の問題点に鑑みてなされたもので、人々の頭髪や、ペット等の毛を迅速乾燥させる効果を向上できるヘアドライヤー口上に装着する集風ノズルを提供することである。
【０００５】
本考案のもう１つの目的は、頭髪やペット等の毛を乾燥させる異なる状況に応じて、風向等を多様に調整を行うことができ、ヘアドライヤーの効果を最良にし、最速で吹き乾かすことである。
【課題を解決するための手段】
【０００６】
本考案は、以下の構成及び機能・作用を有することによって、前述の解決しようとする課題を実現する。
【０００７】
ヘアドライヤー口上に装着する集風ノズルが、集風ノズル本体を含み、前記集風ノズル本体上に少なくとも２つの風吹き出し口を設けることを特徴とする。
【０００８】
前記集風ノズル本体の一端にヘアドライヤーの出風口上に装着する抜き差し構造を設け、集風ノズル本体の一端に２つの間隔を隔てる装着口を設け、各装着口上に何れも風筒を装着し、風筒の自由端に扁平形状の風吹き出し口を設ける。
【０００９】
前記集風ノズル本体上の装着口は、何れも円形口であり、円形口の内側に凸部を設け、風筒の装着位置が円形口であり、円形口箇所に環形溝を設け、前記凸部は、環形溝内に位置し、風筒が凸部に沿って回転することができる。
【００１０】
また、前記風吹き出し口が扁平形状を呈し、２つの風吹き出し口が八の字型を呈して設置される。
【考案の効果】
【００１１】
本考案は、従来のヘアドライヤー口上に装着する集風ノズルの技術と比較し、以下の利点を有する。
本考案によれば、ヘアドライヤー口の集風ノズル本体上に少なくとも２つの風吹き出し口を設け、ヘアドライヤー口を二口又は複数口のヘアドライヤーに変え、これにより、毛が長く密集したペットに使用時に迅速乾燥の効果を達成することができ、人々が頭髪を吹き乾かす場合も同様に迅速乾燥の効果を達成することができる。風筒が凸部に沿って回転可能であり、２つの風吹き出し口が異なる状況に応じて回転調整でき、八の字型を呈するように調整する時、その効果が最良となり、最速で吹き乾かすことができる。
【図面の簡単な説明】
【００１２】
【図１】本考案のヘアドライヤー口上に装着する集風ノズルの立体図である。
【図２】図１の平面図である。
【図３】本考案のヘアドライヤー口上に装着する集風ノズルの装着後の構造説明図である。
【図４】本考案のヘアドライヤー口上に装着する集風ノズルの正面図である。
【図５】ヘアドライヤーの正面図である。
【考案を実施するための形態】
【００１３】
本考案のヘアドライヤー口上に装着する集風ノズルの実施例について、以下に図面に合わせて詳細に説明を行う。
【００１４】
図1〜図４に示すように、本考案のヘアドライヤー口上に装着する集風ノズルは、集風ノズル本体１を含み、集風ノズル本体１の一端に、図５に示すようなヘアドライヤー３の出風口上に装着することに用いる抜き差し構造１１を設け、集風ノズル本体１の一端に２つの間隔を隔てる装着口を設け、各装着口上に何れも風筒２を装着し、風筒２の自由端に扁平形状の風吹き出し口２１を設ける。
【００１５】
そのうち、集風ノズル本体１上の装着口は、何れも円形口であり、円形口の内側に凸部を設け、風筒２の装着位置が円形口であり、円形口箇所に環形溝を設け、前記凸部は、環形溝内に位置し、風筒が凸部に沿って回転することができる。
【００１６】
使用時、風筒２上の扁平形状の風吹き出し口２１を八の字型に調整する時、この種の状態により、その効果が最良となり、吹き乾かしが最速になることができる。
【００１７】
集風ノズル１上の抜き差し構造１１は、環形溝であり、環形溝上に定位凹孔構造を更に設ける。集風ノズル本体１上の装着口は、複数設置することもできる。風筒２及び集風ノズル本体１は、一体に製造することもでき、この時、扁平形状の風吹き出し口２１を八の字型に配列する。
【００１８】
以上のように、本考案の実施例によれば、集風ノズル本体上に少なくとも２つの風吹き出し口を設け、図５に示すような一つのヘアドライヤー口を、二口又は複数口のヘアドライヤーに変え、多様な風向に調整でき、毛が長く密集したペットに使用する時には、体に合わせて調整することにより、迅速に乾燥させるという効果が達成でき、人々が頭髪を吹き乾かす場合も同様に迅速乾燥の効果を達成することができる。特に、風筒が凸部に沿って回転可能にしてあり、２つの風吹き出し口が異なる状況に応じて回転調整でき、八の字型を呈するように調整すれば、その効果が最良となり、最速で吹き乾かすことができる。
【符号の説明】
【００１９】
１  集風ノズル
１１  抜き差し構造
２  風筒
２１  風吹き出し口
３  ヘアドライヤー
【図１】
0003175129.tif 000003
【図２】
0003175129.tif 000004
【図３】
0003175129.tif 000005
【図４】
0003175129.tif 000006
【図５】
0003175129.tif 000007